(57)【特許請求の範囲】
【請求項１】
少なくともシャープペンシル用リフィールを含む複数のリフィールと、各リフィールの後端部に接続されるとともに後部側を軸筒外周面から露出した押子とを軸筒内に備え、選択された押子を前方へスライド操作することにより、該押子が掛止段部に掛止されて、該押子に対応するリフィールの突出状態が維持されるようにし、
前記軸筒の後端部には、軸方向へスライド可能にノック棒が設けられ、
シャープペンシル用リフィールの前記突出状態でノック棒がノック操作されることにより、シャープペンシル用押子と共にシャープペンシル用リフィールの後側部位を往復動させて筆記先端部から芯を繰り出すように構成し、
ノック棒に緩衝部材を設けて、前記各リフィールの没入時に後方へスライドした押子を、該緩衝部材に当接させるようにし、
上記ノック棒は、軸筒後端部から後方へ突出したノック部と、軸筒内に挿入された掛止片部とからなり、
該掛止片部には、シャープペンシル用押子を突出状態で掛止する上記掛止段部が形成されていることを特徴とする筆記具。
【請求項２】
少なくともシャープペンシル用リフィールを含む複数のリフィールと、各リフィールの後端部に接続されるとともに後部側を軸筒外周面から露出した押子とを軸筒内に備え、選択された押子を前方へスライド操作することにより、該押子が掛止段部に掛止されて、該押子に対応するリフィールの突出状態が維持されるようにし、
前記軸筒の後端部には、軸方向へスライド可能にノック棒が設けられ、
シャープペンシル用リフィールの前記突出状態でノック棒がノック操作されることにより、シャープペンシル用押子と共にシャープペンシル用リフィールの後側部位を往復動させて筆記先端部から芯を繰り出すように構成し、
軸筒内に、軸筒外周面からクリップ内面側へ突出する押動突部と軸筒の軸心方向へ突出する解除突起とを一体的に備えた解除部材を設け、
該解除部材は、クリップと軸筒との間に挟持される被挟持物によって前記押動突部が押動され、前記押動突部と共に押動する前記解除突起により、掛止されている前記押子をその内側から押し動かし、同押子を前記掛止段部から離脱させて前記リフィールを没入させるように構成されていることを特徴とする筆記具。
【請求項３】
上記解除部材には、軸筒外周面から露出する押しボタン部が、上記押動突部及び上記解除突起と一体的に設けられていることを特徴とする請求項２記載の筆記具。
【請求項４】
上記ノック棒は、軸筒後端部から後方へ突出したノック部と、軸筒内に挿入された掛止片部とからなり、
該掛止片部には、シャープペンシル用押子を突出状態で掛止する上記掛止段部が形成されていることを特徴とする請求項２又は３何れか１項記載の筆記具。
【請求項５】
上記ノック棒の掛止片部は、一片部と他片部とからなる二股状に形成されるとともに、前記一片部と他片部との各々の前端部に、外向きに突出する係合突部を有し、
上記ノック棒は、二股状の前記掛止片部を、軸筒内に挿入して後方へのスライド時に前記係合突部が軸筒内に係止するように設けられるとともに、前記掛止片部の開いた状態が維持されるように、前記掛止片部の一片部と他片部との間に、上記シャープペンシル用押子を挿入していることを特徴とする請求項１又は４記載の筆記具。
【発明の詳細な説明】
【０００１】
【発明の属する技術分野】
本発明は、シャープペンシル用リフィールを含む複数のリフィールを軸筒内に備え、選択されたリフィールの筆記先端部を軸筒より出没させる筆記具に関するものである。
【０００２】
【従来の技術】
従来、この種の筆記具には、複数色のボールペン用リフィールと、これら各リフィールの後端に接続されるとともに後部側を軸筒外周面から露出した押子とを備え、選択された一つの押子を前方へスライド操作して軸筒内の掛止段部に掛止させて、その押子に対応するリフィールの筆記先端部の突出状態を維持するようにした多色ボールペンがある。
ところで、上記多色ボールペンにシャープペンシルの機能も付加するためには、例えば、上記多色ボールペンにおける何れかのボールペン用リフィールを、後側部位の軸方向への往復動により芯が繰り出されるシャープペンシル用リフィールに置き換え、該シャープペンシル用リフィールに接続されているシャープペンシル用押子が軸方向へ往復動されることにより、筆記先端部から芯が繰り出されるように構成することが考えられる。
【０００３】
しかしながら、上記のようにして多色ボールペンを改良した構成では、シャープペンシル用リフィールから芯を繰り出す際、軸筒外周面から露出したシャープペンシル用押子を軸方向へ往復動させるため、その操作がリフィールの筆記先端部を軸筒より出没させる操作と重複して著しく困難であるという問題を有することになる。
【０００４】
【発明が解決しようとする課題】
本発明は上記従来事情に鑑みてなされたものであり、その目的とする処は、シャープペンシル用リフィールの芯の繰り出し操作を、軸筒後端のノック操作によって容易に行うことができる筆記具を提供することにある。
【０００５】
【課題を解決するための手段】
上記課題を解決するための技術的手段は、少なくともシャープペンシル用リフィールを含む複数のリフィールと、各リフィールの後端部に接続されるとともに後部側を軸筒外周面から露出した押子とを軸筒内に備え、選択された押子を前方へスライド操作することにより、該押子が掛止段部に掛止されて、該押子に対応するリフィールの突出状態が維持されるようにし、前記軸筒の後端部には、軸方向へスライド可能にノック棒が設けられ、シャープペンシル用リフィールの前記突出状態でノック棒がノック操作されることにより、シャープペンシル用押子と共にシャープペンシル用リフィールの後側部位を往復動させて筆記先端部から芯を繰り出すように構成し、ノック棒に緩衝部材を設けて、前記各リフィールの没入時に後方へスライドした押子を、該緩衝部材に当接させるようにし、上記ノック棒は、軸筒後端部から後方へ突出したノック部と、軸筒内に挿入された掛止片部とからなり、該掛止片部には、シャープペンシル用押子を突出状態で掛止する上記掛止段部が形成されていることを特徴とする。
また、他の手段では、少なくともシャープペンシル用リフィールを含む複数のリフィールと、各リフィールの後端部に接続されるとともに後部側を軸筒外周面から露出した押子とを軸筒内に備え、選択された押子を前方へスライド操作することにより、該押子が掛止段部に掛止されて、該押子に対応するリフィールの突出状態が維持されるようにし、前記軸筒の後端部には、軸方向へスライド可能にノック棒が設けられ、シャープペンシル用リフィールの前記突出状態でノック棒がノック操作されることにより、シャープペンシル用押子と共にシャープペンシル用リフィールの後側部位を往復動させて筆記先端部から芯を繰り出すように構成し、軸筒内に、軸筒外周面からクリップ内面側へ突出する押動突部と軸筒の軸心方向へ突出する解除突起とを一体的に備えた解除部材を設け、該解除部材は、クリップと軸筒との間に挟持される被挟持物によって前記押動突部が押動され、前記押動突部と共に押動する前記解除突起により、掛止されている前記押子をその内側から押し動かし、同押子を前記掛止段部から離脱させて前記リフィールを没入させるように構成されていることを特徴とする。
【０００６】
第一の形態では、少なくともシャープペンシル用リフィールを含む複数のリフィールと、各リフィールの後端部に接続されるとともに後部側を軸筒外周面から露出した押子とを軸筒内に備え、選択された押子を前方へスライド操作することにより、該押子が掛止段部に掛止されて、該押子に対応するリフィールの突出状態が維持されるようにし、前記軸筒の後端部には、軸方向へスライド可能にノック棒が設けられ、シャープペンシル用リフィールの前記突出状態でノック棒がノック操作されることにより、シャープペンシル用押子と共にシャープペンシル用リフィールの後側部位を往復動させて筆記先端部から芯を繰り出すように構成した。
上記形態によれば、シャープペンシル用押子を前方へスライド操作することにより、該シャープペンシル用押子が掛止片部に掛止される。そして、ノック棒をノック操作すると、該ノック棒の往復動が、シャープペンシル用押子へ伝達され、更に、シャープペンシル用押子からシャープペンシル用リフィールの後側部位へ伝達される。したがって、シャープペンシル用リフィールの後側部位が軸方向へ往復動されることで、筆記先端部からは芯が繰り出される。
また、第二の形態では、上記ノック棒は、軸筒後端部から後方へ突出したノック部と、軸筒内に挿入された掛止片部とからなり、該掛止片部には、シャープペンシル用押子を突出状態で掛止する上記掛止段部が形成されている。
【０００７】
更に、第三の形態では、上記ノック棒の掛止片部は、一片部と他片部とからなる二股状に形成されるとともに、前記一片部と他片部との各々の前端部に、外向きに突出する係合突部を有し、上記ノック棒は、二股状の前記掛止片部を、軸筒内に挿入して後方へのスライド時に前記係合突部が軸筒内に係止するように設けられるとともに、前記掛止片部の開いた状態が維持されるように、前記掛止片部の一片部と他片部との間に、上記シャープペンシル用押子を挿入している。
【０００８】
更に、第四の形態では、ノック棒の上記ノック部の前端側に緩衝部材を設けることによって、上記各リフィールの没入時に後方へスライドした押子を、該緩衝部材に当接させるようにした。
【０００９】
また、第五の形態では、軸筒内に、軸筒外周面からクリップ内面側へ突出する押動突部と軸筒の軸心方向へ突出する解除突起とを一体的に備えた解除部材を設け、該解除部材は、クリップと軸筒との間に挟持される被挟持物によって前記押動突部が押動され、前記押動突部と共に押動する前記解除突起により、掛止されている上記押子をその内側から押し動かし、同押子を上記掛止段部から離脱させて上記リフィールを没入させるように構成されている。
【００１０】
また、第六の形態では、上記解除部材には、軸筒外周面から露出する押しボタン部が、上記押動突部及び上記解除突起と一体的に設けられている。
【００１１】
以下、上記形態を適用した具体例を図面に基づいて説明する。
図１乃至７は、本発明に係わる筆記具の一例を示す。
この筆記具Ａは、一本のシャープペンシル用リフィール２１及び異なる色の二本のボールペン用リフィール２２，２２と、各リフィールの後端部に接続されるとともに後部側を軸筒１０外周面から露出したシャープペンシル用押子３１及びボールペン用押子３２，３２とを軸筒１０内に有し、選択された押子を前方へスライド操作することにより、該押子が掛止されて、該押子に対応するリフィールの突出状態が維持されるようにした筆記具であり、シャープペンシル用リフィール２１から芯を繰り出すべくノック操作されるノック棒６０、そして、クリップ４１と軸筒１０との間に被挟持物ｘが挟まれることによって突出状態にあるリフィールを没入させる解除部材５０等を備えている（図２参照）。
【００１２】
軸筒１０は、エラストマー樹脂からなるグリップ１１ｂが二重成形によって一体に形成された前側軸筒１１に、後側軸筒１２を螺合してなる。
【００１３】
後側軸筒１２は、その周壁に、解除部材５０を内側から嵌着する嵌合孔１２ｂと、同解除部材５０の押動突部５２を露出させる窓部１２ａと、シャープペンシル用押子３１及びボールペン用押子３２，３２のそれぞれを外部に露出させるとともに軸方向に案内スライドさせる三箇所の案内孔１２ｄ，１２ｄ，１２ｄと、クリップ４１を板バネ４２によって弾性的に開閉すべく支持するクリップ支持部１２ｅ（図１参照）とを形成し、そして、後端部には、ノック棒６０を軸方向へスライド可能に取付けるノック棒挿通孔１２ｆ（図３参照）が形成されている。
また、後側軸筒１２の内周面には、ボールペン用押子３２を、ボールペン用リフィール２２の突出状態で掛止する掛止段部１２ｃ（図７参照）が形成されている。
【００１４】
シャープペンシル用リフィール２１は、筆記先端部側の段部２１ａを前側軸筒１１の内面に係止された状態で、スプリング２１ｂよりも後側部位の芯タンク２１ｃがシャープペンシル用押子３１に押されて軸方向へ往復動することによって、筆記先端部から芯を繰り出すように構成された周知構造のシャープペンシル用リフィールである。
【００１５】
また、各ボールペン用リフィール２２は、インクが充填されたインク収容管２２ａの前端に、回動自在に転写ボールを抱持したチップ２２ｂを嵌着してなる。
【００１６】
シャープペンシル用押子３１は、その前端部にシャープペンシル用リフィール２１の後端に嵌合する先端嵌合部３１ａを形成するとともに、その後端部には、後側軸筒１２周壁の案内孔１２ｄから外部に露出される操作突部３１ｂを形成している（図２参照）。
更に、シャープペンシル用押子３１は、後側軸筒１２内に組込まれた際に、長手方向の中途部分で軸筒１０の求心方向（図２における左方向）に突出する掛外突起３１ｃと、この掛外突起３１ｃよりも後端側で同じく前記求心方向に突出する後端内突起３１ｄとを形成している。
【００１７】
同様にして、ボールペン用押子３２も、先端嵌合部３２ａ、操作突部３２ｂ、掛外突起３２ｃ、後端内突起３２ｄ等を具備している。
【００１８】
そして、これらシャープペンシル用押子３１及びボールペン用押子３２は、その先端部がシャープペンシル用リフィール２１及びボールペン用リフィール２２の後端に嵌着され、スプリング７１により後方へ付勢されるとともに、操作突部３１ｂ，３２ｂ，３２ｂを後側軸筒１２後端の案内孔１２ｄ，１２ｄ，１２ｄから露出させて、軸筒１０内に収納されている。
【００１９】
ノック棒６０は、後側軸筒１２後端部のノック棒挿通孔１２ｆから後方へ突出するノック部６１と、軸筒内に挿入された掛止片部６２とからなる。
【００２０】
前記掛止片部６２は、弾性的に開閉可能な一片部６２ａと他片部６２ｂとからなる二股状に形成されるとともに、前記一片部６２ａと他片部６２ｂとの各々の前端部に、外向きに突出する係合突部６３，６３と、シャープペンシル用押子３１を突出状態で掛止する掛止段部６４，６４（図２では裏面側に有する）を形成している。
【００２１】
そして、上記構成のノック棒６０は、図３に示すように、後側軸筒１２のノック棒挿通孔１２ｆに取り付けられる際、二股状の掛止片部６２が、閉じられながらノック棒挿通孔１２ｆに挿入され、後側軸筒１２内で弾性的に復元して開かれる。
したがって、ノック棒６０は、後方へのスライド時に係合突部６３，６３が後側軸筒１２内に係止することで、後方へ抜けないように後側軸筒１２に取り付けられる。
【００２２】
そして、前記掛止片部６２の開いた状態が維持されるように、前記掛止片部６２の一片部６２ａと他片部６２ｂとの間には、シャープペンシル用押子３１の後部側が挿入される（図３（ｂ）参照）。
すなわち、ノック棒６０は、掛止片部６２の一片部６２ａと他片部６２ｂとの間にシャープペンシル用押子３１を挟み込むことにより、不意の衝撃等によって掛止片部６２が閉じて容易に抜けることがないように、後側軸筒１２のノック棒挿通孔１２ｆに取付けられる。
【００２３】
また、ノック棒６０のノック部６１の前端側には、緩衝部材９０が嵌着されている。
この緩衝部材９０は、エラストマー樹脂等の弾性材料からなり、上記各リフィール２１，２２，２２が突出状態から没入される際に、各リフィール２１，２２，２２の後端部を当接させることで、各リフィール２１，２２，２２が受ける後方への衝撃（バックショック）を緩和するものである。
【００２４】
すなわち、没入されるのがシャープペンシル用リフィール２１である場合には、チャック（図示せず）に挟持された芯がバックショックにより食い千切られるようにして折れるのを防止することができる。
また、没入されるのがボールペン用リフィール２２である場合には、バックショックにより筆記先端部からチップ２２ｂ内に空気が侵入し筆記掠れや不書きを生じるのを防止することができる。
【００２５】
解除部材５０は、ポリアセタール等の強靭性を有する樹脂材料で略棒状に成形され、その一端側に、軸筒１０の遠心方向に突出した嵌合突起５１を有し、他端側には、同遠心方向に突出した押動突部５２と軸筒１０の求心方向に突出した解除突起５３（図１参照）とを有し、押動突部５２を後側軸筒１２の窓部１２ａからクリップ４１内面側へ露出させた状態で、前記嵌合突起５１を後側軸筒１２の嵌合孔１２ｂに嵌着している。
【００２６】
この解除部材５０は、クリップ４１と後側軸筒１２との間に挟持される被挟持物ｘによって前記押動突部５２が押し動かされることで、軸筒１０の求心方向へ弾性的に撓む。そして、その撓みによって前記押動突部５２と共に押動した解除突起５３が、掛止されているシャープペンシル用押子３１及びボールペン用押子３２，３２の内の何れかを、その内側から押し動かして掛止段部１２ｃ又は６４から離脱させる。
【００２７】
尚、解除部材５０の押動突部５２はその頂部に平坦部５２ａを有し、一方、クリップ４１の内面には、該平坦部５２ａに当接する複数のリブ４１ａを有する。そして、これら平坦部５２ａとリブ４１ａとによって、被挟持物ｘが撓んでしまい、解除動作に支障をきたすのを防止している。
すなわち、例えば、前記押動突部５２の頂部が三角突状に形成されるとともにクリップ４１の前記リブ４１ａを有さない場合には、被挟持物ｘは、押動突部５２の頂部形状にならって撓んでしまい、解除部材５０が押動されなくなってしまう。
【００２８】
また、図中符号８０は、後側軸筒１２内の先端側に嵌着されるとともに、シャープペンシル用リフィール２１及びボールペン用リフィール２２，２２を貫挿させているガイド体である。このガイド体８０は、シャープペンシル用リフィール２１及びボールペン用リフィール２２，２２のそれぞれを軸方向へスライドするように案内するとともに、シャープペンシル用押子３１及びボールペン用押子３２，３２の各々を後方へ付勢している各スプリング７１の先端部を受け、さらに、解除部材５０の嵌合突起５１の裏面側を押圧することで、嵌合突起５１と後側軸筒１２の嵌合孔１２ｂとの嵌着を補強している。
【００２９】
次に、上記構成の筆記具Ａの動作を詳細に説明にする。
まず、シャープペンシル用リフィール２１を、その筆記先端部が軸筒１０前端から突出された突出状態にするには、図１（ｂ）に示すように、シャープペンシル用押子３１が前方へスライド操作される。すると、シャープペンシル用押子３１の後端部がノック部６１前端の掛止段部６４に掛止され、シャープペンシル用リフィール２１の突出状態が維持される。
【００３０】
次に、突出状態のシャープペンシル用リフィール２１の筆記先端部から芯を繰り出すには、図１（ｃ）に示すように、ノック棒６０がノック操作される。その際、ノック棒６０の軸方向の往復動に伴って、ノック棒６０の掛止段部６４に掛止されているシャープペンシル用押子３１も、軸方向へ往復動する。
したがって、シャープペンシル用リフィール２１は、筆記先端部側の段部２１ａを前側軸筒１１の先端口１１ａ内面に係止された状態で、スプリング２１ｂよりも後側部位の芯タンク２１ｃがシャープペンシル用押子３１に押されて軸方向へ往復動するため、芯を繰り出すことになる。
【００３１】
また、シャープペンシル用リフィール２１の突出状態においてクリップ４１と軸筒１０との間に被挟持物ｘが挟まれた際には、図４（ａ）（ｂ）及び図５（ａ）乃至（ｃ）に示すように、被挟持物ｘによって前記押動突部５２が押し動かされることで、解除部材５０が弾性的に撓み、解除突起５３が、掛止されているシャープペンシル用押子３１を、その内側から押し動かして掛止段部６４から離脱させ、シャープペンシル用リフィール２１が没入する。
【００３２】
前記動作において、シャープペンシル用リフィール２１がボールペン用リフィール２２であった場合も、上記同様にして、解除部材５０の解除突起５３により、ボールペン用押子３２がその内側から押し動かされ掛止段部１２ｃから離脱させられることで、ボールペン用リフィール２２が没入する。尚、ボールペン用押子３２は、図６（ａ）乃至（ｃ）に示すように、ボールペン用押子３２を、横方向へ押し退けるようにして押し動かす。
【００３３】
また、突出状態のシャープペンシル用リフィール２１をボールペン用リフィール２２の突出動作により没入させるには、図７（ａ）乃至（ｃ）に示すように、シャープペンシル用リフィール２１の突出状態において、ボールペン用押子３２を前方へスライド操作すると、ボールペン用押子３２の掛外突起３２ｃが、掛止されているシャープペンシル用リフィール２１の後端内突起３１ｄを押し上げ、シャープペンシル用押子３１と掛止段部６４との掛止が外される。
尚、ボールペン用リフィール２２をシャープペンシル用リフィール２１の突出動作により没入させる場合や、一方のボールペン用リフィール２２を他方のボールペン用リフィール２２の突出動作による没入させる場合については、基本的に前記動作と同様であるため、重複する詳細説明を省略する。
【００３４】
次に、図８に示す筆記具Ｂについて説明する。
この筆記具Ｂは、突出状態にあるリフィールが軸筒１０外周面の押しボタン部５４によって没入されるように構成したものであり、基本的構造を上述した筆記具Ａと同様にしているため、同様に作用する部位については同一の符号を付けることで重複説明を省略する。
【００３５】
筆記具Ｂは、解除部材５０’に形成された押しボタン部５４を、後側軸筒１２’の外周面から露出している。
解除部材５０’は、上述した解除部材５０における嵌合突起５１と押動突部５２との間に、押しボタン部５４を突出形成している。
後側軸筒１２’は、クリップ４１前端よりも前方側の外周面に、前記押しボタン部５４を露出する窓部１２ｇを形成している。
【００３６】
而して、上記筆記具Ｂによれば、押しボタン部５４が外部から押されることにより、解除部材５０’が撓むため、突出状態にあるシャープペンシル用リフィール２１又はボールペン用リフィール２２を没入させることができる。
尚、解除部材５０’が撓むことで、解除部材５０’の解除突起５３がシャープペンシル用押子３１又はボールペン用押子３２を押す動作は、上記筆記具Ａと同様である。
また、この筆記具Ｂにおいて、クリップ４１と軸筒１０との間に被挟持物ｘが挟まれることによって、突出状態のシャープペンシル用リフィール２１又はボールペン用リフィール２２を没入させる動作、及び突出状態にあるリフィールを没入状態にある他のリフィールの突出により没入させる動作については、上記筆記具Ａと同様である。
【００３７】
尚、上記筆記具Ｂにおいて、解除部材５０’の押動突部５２を省くことにより、クリップ４１と軸筒１０との間に被挟持物ｘが挟さまれた際の解除機構を無くした構成とすることも可能である。
また、上記筆記具Ａ及び筆記具Ｂにおいて、解除部材５０又は解除部材５０’を省いた構成とすることも可能であり、この構成の場合も、突出状態にあるリフィールを没入状態にある他のリフィールの突出動作により没入させることができる。
【００３８】
上記形態は、以上説明したように構成されているので、以下に記載されるような効果を奏する。
第一の形態によれば、シャープペンシル用リフィールの突出状態における芯の繰り出し操作を、軸筒後端のノック棒のノック操作によって容易に行うことができる。
更に、第二の形態によれば、ノック棒の掛止片部に掛止段部を有するため、軸筒内周面にはシャープペンシル用押子を掛止するための掛止段部を形成する必要がなく、軸筒内形状を簡素にすることができる。
更に、第三の形態によれば、ノック棒を容易に軸筒へ組み付けられる上、二股状の掛止片部にシャープペンシル用押子が挿入されるため、不意の衝撃等によって掛止片部が閉じられ、ノック棒が後方へ引き抜けてしまうのを確実に防止することができる。
しかも、第四の形態によれば、各リフィールが没入する際の衝撃（バックショック）を緩衝部材によって吸収することができる。したがって、ボールペン用リフィールにおいては、バックショックに起因する筆記掠れや不書きを防止することができ、その上、シャープペンシル用リフィールにおいては、バックショックに起因する芯折れを防止することができる。
更に、第五の形態によれば、クリップと軸筒との間に被挟持物が挟まれることによって、突出状態にあるリフィールを没入させることができる。
更に、第六の形態によれば、筆記姿勢のままで軸筒外周面の押しボタン部を押せるため、突出状態にあるリフィールを没入させる操作を容易に行うことができる。
【図面の簡単な説明】
【図１】  本発明に係わる筆記具の一例を、ボールペン用リフィール及びボールペン用押子を省略して示す縦断面図であり、（ａ）はシャープペンシル用リフィールの筆記先端部が没入されている状態を示し、（ｂ）は同シャープペンシル用リフィールの筆記先端部が突出されている状態を示し、（ｃ）はノック棒のノック操作によって同シャープペンシル用リフィールの筆記先端部から芯が繰り出されている状態を示す。
【図２】  同筆記具の分解平面図を示す。
【図３】  ノック棒が軸筒へ組み付けられ押子によって抜け防止される状態を（ａ）と（ｂ）に順次に示す要部断面図。
【図４】  クリップと軸筒との間に被挟持物が挟まれることで、シャープペンシル用リフィールが没入する状態を（ａ）と（ｂ）に順次に示す縦断面図。
【図５】  クリップと軸筒との間に被挟持物が挟まれることで、シャープペンシル用押子の掛止状態が解除される状態を（ａ）乃至（ｃ）に順次に示す横断面図。
【図６】  クリップと軸筒との間に被挟持物が挟まれることで、ボールペン用押子の掛止状態が解除される状態を（ａ）乃至（ｃ）に順次に示す横断面図。
【図７】  同筆記具を、クリップを省略して示す縦断面図であり、（ａ）はシャープペンシル用リフィールとボールペン用リフィールとが共に没入されている状態を示し、（ｂ）はシャープペンシル用リフィールが突出された状態を示し、（ｃ）はボールペン用リフィールを突出させることにより、シャープペンシル用リフィールが没入された状態を示す。
【図８】  本発明に係わる筆記具の他例を、ボールペン用リフィール及びボールペン用押子を省略して示す縦断面図である。
【符号の説明】
１０：軸筒
２１：シャープペンシル用リフィール
３１：シャープペンシル用押子
３１ｂ：操作突部
５０：解除部材
５２：押動突部
５３：解除突起
５４：押しボタン部
６０：ノック棒
６１：ノック部
６２：掛止片部
６２ａ：一片部
６２ｂ：他片部
６３：係合突部
６４：掛止段部
９０：緩衝部材
Ａ，Ｂ：筆記具
【図１】
0004739593.tif 000002
【図２】
0004739593.tif 000003
【図３】
0004739593.tif 000004
【図４】
0004739593.tif 000005
【図５】
0004739593.tif 000006
【図６】
0004739593.tif 000007
【図７】
0004739593.tif 000008
【図８】
0004739593.tif 000009